(57)【要約】      （修正有）【課題】音声出力装置の接続先を切り替える際に、ユーザが音声を聞き逃すことを抑制できる音声出力装置を提供する。【解決手段】テレビジョン受像機４は、内蔵スピーカ１０と、内蔵スピーカ１０から音声を出力させる第１のモードと、テレビジョン受像機４の接続先である外部スピーカ６及びヘッドホン８の一方から音声を出力させる第２のモードとを切り替えるモード切替部と、第２のモードにおいて、テレビジョン受像機４の接続先を外部スピーカ６とヘッドホン８との間で切り替える指示を受け付ける受付部と、上記指示に基づいて、テレビジョン受像機４の接続先を外部スピーカ６及びヘッドホン８の一方から他方に切り替える接続切替部と、少なくとも接続切替部による接続先の切り替えが開始してから切り替えが完了するまでの間、内蔵スピーカ１０から音声を出力させるスピーカ制御部と、を備える。【選択図】図１
2015226281.tif 000002
【特許請求の範囲】
【請求項１】
音声を出力する第１の外部接続機器及び第２の外部接続機器と選択的に所定の無線方式で接続可能な音声出力装置であって、
音声を出力するスピーカと、
前記スピーカから音声を出力させる第１のモードと、前記音声出力装置の接続先である前記第１の外部接続機器及び前記第２の外部接続機器の一方から音声を出力させる第２のモードとを切り替えるモード切替部と、
前記第２のモードにおいて、前記音声出力装置の接続先を前記第１の外部接続機器と前記第２の外部接続機器との間で切り替える指示を受け付ける受付部と、
前記指示に基づいて、前記音声出力装置の接続先を前記第１の外部接続機器及び前記第２の外部接続機器の一方から他方に切り替える接続切替部と、
少なくとも前記接続切替部による接続先の切り替えが開始してから切り替えが完了するまでの間、前記スピーカから音声を出力させるスピーカ制御部と、を備える
音声出力装置。
【請求項２】
前記スピーカ制御部は、前記接続切替部による接続先の切り替えが開始してから切り替えが完了するまでの間に引き続いて、切り替えが完了してから所定時間が経過するまでの間、前記スピーカから音声を出力させる
請求項１に記載の音声出力装置。
【請求項３】
前記スピーカ制御部は、前記接続切替部による接続先の切り替えが完了してから前記所定時間が経過するまでの間、前記スピーカから音声をフェードアウトさせながら出力させる
請求項２に記載の音声出力装置。
【請求項４】
前記スピーカ制御部は、前記接続切替部による接続先の切り替えが開始した際に、前記スピーカから音声をフェードインさせながら出力させる
請求項１〜３のいずれか１項に記載の音声出力装置。
【請求項５】
前記所定の無線方式は、ブルートゥース（登録商標）である
請求項１〜４のいずれか１項に記載の音声出力装置。
【請求項６】
音声を出力する音声出力装置と、音声を出力する第１の外部接続機器及び第２の外部接続機器とが選択的に所定の無線方式で接続可能な音声出力システムであって、
前記第１の外部接続機器は、
前記音声出力装置の接続先を前記第１の外部接続機器と前記第２の外部接続機器との間で切り替える指示を、前記音声出力装置に出力する出力部を備え、
前記音声出力装置は、
音声を出力するスピーカと、
前記スピーカから音声を出力させる第１のモードと、前記音声出力装置の接続先である前記第１の外部接続機器及び前記第２の外部接続機器の一方から音声を出力させる第２のモードとに切り替えるモード切替部と、
前記第２のモードにおいて、前記指示を受け付ける受付部と、
前記指示に基づいて、前記音声出力装置の接続先を前記第１の外部接続機器及び前記第２の外部接続機器の一方から他方に切り替える接続切替部と、
少なくとも前記接続切替部による接続先の切り替えが開始してから切り替えが完了するまでの間、前記スピーカから音声を出力させるスピーカ制御部と、を備える
音声出力システム。
【発明の詳細な説明】
【技術分野】
【０００１】
本発明は、音声出力装置及び音声出力システムに関する。
【背景技術】
【０００２】
内蔵スピーカを有するテレビジョン受像機等の音声出力装置と、ヘッドホン又は外部スピーカ等の外部接続機器とがブルートゥース（Ｂｌｕｅｔｏｏｔｈ（登録商標））で接続可能な音声出力システムが知られている（例えば、特許文献１参照）。この音声出力システムでは、例えばテレビジョン受像機とヘッドホンとが接続されている場合には、テレビジョン受像機で視聴されている放送番組等の音声は、内蔵スピーカから出力されずに、ヘッドホンから出力される。
【０００３】
このような音声出力システムでは、テレビジョン受像機の接続先を例えばヘッドホンから外部スピーカに切り替えることができる。図１１は、従来の音声出力システムにおいて、テレビジョン受像機の接続先を切り替える動作を示すタイミングチャートである。図１１に示すように、テレビジョン受像機とヘッドホンとが接続されている間は、ヘッドホンから音声が出力される。その後、テレビジョン受像機の接続先の切り替えが開始したタイミングで、ヘッドホンからの音声の出力が停止される。さらにその後、テレビジョン受像機の接続先の切り替えが完了したタイミングで、外部スピーカから音声が出力される。
【先行技術文献】
【特許文献】
【０００４】
【特許文献１】特開２００９−５５４５１号公報
【発明の概要】
【発明が解決しようとする課題】
【０００５】
上述した従来の音声出力システムでは、テレビジョン受像機の接続先の切り替えが開始するタイミングと、接続先の切り替えが完了するタイミングとの間に、例えば数秒程度のタイムラグが生じる。なお、このタイムラグは、テレビジョン受像機と接続先の外部接続機器との間で接続を確立させるための処理等に要する時間に起因するものである。そのため、テレビジョン受像機の接続先の切り替えが開始してから完了するまでの間、音声の出力が途切れてしまい、ユーザが音声を聞き逃してしまうという課題が生じる。
【０００６】
なお、上述した課題を解決するために、例えば図１２に示すような方法が考えられる。図１２は、比較例の音声出力システムにおいて、テレビジョン受像機の接続先を切り替える動作を示すタイミングチャートである。図１２に示す方法では、テレビジョン受像機の接続先の切り替えが開始してから完了するまでの間、接続元であるヘッドホンから音声が出力され続ける。しかしながら、このような方法においても、テレビジョン受像機の接続先の切り替えが開始した直後にユーザがヘッドホンを頭部から取り外した場合には、ユーザが音声を聞き逃してしまうおそれがある。
【０００７】
本発明は、上述した課題を解決しようとするものであり、その目的は、音声出力装置の接続先を切り替える際に、ユーザが音声を聞き逃すのを抑制することができる音声出力装置及び音声出力システムを提供することである。
【課題を解決するための手段】
【０００８】
上記目的を達成するために、本発明の一態様に係る音声出力装置は、音声を出力する第１の外部接続機器及び第２の外部接続機器と選択的に所定の無線方式で接続可能な音声出力装置であって、音声を出力するスピーカと、前記スピーカから音声を出力させる第１のモードと、前記音声出力装置の接続先である前記第１の外部接続機器及び前記第２の外部接続機器の一方から音声を出力させる第２のモードとを切り替えるモード切替部と、前記第２のモードにおいて、前記音声出力装置の接続先を前記第１の外部接続機器と前記第２の外部接続機器との間で切り替える指示を受け付ける受付部と、前記指示に基づいて、前記音声出力装置の接続先を前記第１の外部接続機器及び前記第２の外部接続機器の一方から他方に切り替える接続切替部と、少なくとも前記接続切替部による接続先の切り替えが開始してから切り替えが完了するまでの間、前記スピーカから音声を出力させるスピーカ制御部と、を備える。
【０００９】
本態様によれば、スピーカ制御部は、少なくとも接続切替部による接続先の切り替えが開始してから切り替えが完了するまでの間、スピーカから音声を出力させる。これにより、音声出力装置の接続先を切り替える際に、音声の出力が途切れてしまうことがなく、ユーザが音声を聞き逃すのを抑制することができる。
【００１０】
例えば、本発明の一態様に係る音声出力装置において、前記スピーカ制御部は、前記接続切替部による接続先の切り替えが開始してから切り替えが完了するまでの間に引き続いて、切り替えが完了してから所定時間が経過するまでの間、前記スピーカから音声を出力させるように構成してもよい。
【００１１】
本態様によれば、スピーカ制御部は、接続切替部による接続先の切り替えが完了した後も所定時間の間、スピーカから音声を出力させる。これにより、音声出力装置の接続先を切り替える際に、ユーザが音声を聞き逃すのをより一層効果的に抑制することができる。
【００１２】
例えば、本発明の一態様に係る音声出力装置において、前記スピーカ制御部は、前記接続切替部による接続先の切り替えが完了してから前記所定時間が経過するまでの間、前記スピーカから音声をフェードアウトさせながら出力させるように構成してもよい。
【００１３】
本態様によれば、スピーカ制御部は、接続先の切り替えが完了してから所定時間が経過するまでの間、スピーカから音声をフェードアウトさせながら出力させる。これにより、ユーザに違和感を与えることなく、スピーカからの音声の出力を停止させることができる。
【００１４】
例えば、本発明の一態様に係る音声出力装置において、前記スピーカ制御部は、前記接続切替部による接続先の切り替えが開始した際に、前記スピーカから音声をフェードインさせながら出力させるように構成してもよい。
【００１５】
本態様によれば、スピーカ制御部は、接続切替部による接続先の切り替えが開始した際に、スピーカから音声をフェードインさせながら出力させる。これにより、例えばスピーカから音声が突然大音量で出力されることがないので、ユーザに違和感を与えることなく、スピーカから音声を出力させることができる。
【００１６】
例えば、本発明の一態様に係る音声出力装置において、前記所定の無線方式は、ブルートゥースであるように構成してもよい。
【００１７】
本態様によれば、音声出力装置と第１の外部接続機器及び第２の外部接続機器の一方とをブルートゥースで接続することができる。
【００１８】
本発明の一態様に係る音声出力システムは、音声を出力する音声出力装置と、音声を出力する第１の外部接続機器及び第２の外部接続機器とが選択的に所定の無線方式で接続可能な音声出力システムであって、前記第１の外部接続機器は、前記音声出力装置の接続先を前記第１の外部接続機器と前記第２の外部接続機器との間で切り替える指示を、前記音声出力装置に出力する出力部を備え、前記音声出力装置は、音声を出力するスピーカと、前記スピーカから音声を出力させる第１のモードと、前記音声出力装置の接続先である前記第１の外部接続機器及び前記第２の外部接続機器の一方から音声を出力させる第２のモードとに切り替えるモード切替部と、前記第２のモードにおいて、前記指示を受け付ける受付部と、前記指示に基づいて、前記音声出力装置の接続先を前記第１の外部接続機器及び前記第２の外部接続機器の一方から他方に切り替える接続切替部と、少なくとも前記接続切替部による接続先の切り替えが開始してから切り替えが完了するまでの間、前記スピーカから音声を出力させるスピーカ制御部と、を備える。
【００１９】
本態様によれば、スピーカ制御部は、少なくとも接続切替部による接続先の切り替えが開始してから切り替えが完了するまでの間、スピーカから音声を出力させる。これにより、音声出力装置の接続先を切り替える際に、音声の出力が途切れてしまうことがなく、ユーザが音声を聞き逃すのを抑制することができる。
【００２０】
なお、本発明は、このような特徴的な処理部を備える音声出力装置として実現することができるだけでなく、音声出力装置に含まれる特徴的な処理部が実行する処理をステップとする制御方法として実現することができる。また、音声出力装置に含まれる特徴的な処理部としてコンピュータを機能させるためのプログラム又は制御方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００２１】
本発明の一態様に係る音声出力装置によれば、音声出力装置の接続先を切り替える際に、ユーザが音声を聞き逃すのを抑制することができる。
【図面の簡単な説明】
【００２２】
【図１】実施の形態１に係る音声出力システムの構成を示す概念図である。
【図２】テレビジョン受像機の構成を示すブロック図である。
【図３】ホストコントローラの機能的構成を示すブロック図である。
【図４】外部スピーカの構成を示すブロック図である。
【図５】ヘッドホンの構成を示すブロック図である。
【図６】実施の形態１に係る音声出力システムにおいて、テレビジョン受像機の接続先をヘッドホンから外部スピーカに切り替える流れを示すシーケンス図である。
【図７】実施の形態１に係る音声出力システムにおいて、テレビジョン受像機の接続先をヘッドホンから外部スピーカに切り替える動作を示すタイミングチャートである。
【図８】実施の形態１に係る音声出力システムにおいて、テレビジョン受像機の接続先を外部スピーカからヘッドホンに切り替える流れを示すシーケンス図である。
【図９】実施の形態１に係る音声出力システムにおいて、テレビジョン受像機の接続先を外部スピーカからヘッドホンに切り替える動作を示すタイミングチャートである。
【図１０】実施の形態２に係る音声出力システムにおいて、テレビジョン受像機の接続先を外部スピーカからヘッドホンに切り替える流れを示すシーケンス図である。
【図１１】従来の音声出力システムにおいて、テレビジョン受像機の接続先を切り替える動作を示すタイミングチャートである。
【図１２】比較例の音声出力システムにおいて、テレビジョン受像機の接続先を切り替える動作を示すタイミングチャートである。
【発明を実施するための形態】
【００２３】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２４】
（実施の形態１）
［音声出力システムの概略構成］
まず、図１を参照しながら、実施の形態１に係る音声出力システム２の概略構成について説明する。図１は、実施の形態１に係る音声出力システムの構成を示す概念図である。
【００２５】
図１に示すように、本実施の形態の音声出力システム２では、テレビジョン受像機４（音声出力装置）と、外部スピーカ６（第１の外部接続機器及び第２の外部接続機器の一方）及びヘッドホン８（第１の外部接続機器及び第２の外部接続機器の他方）とが選択的に所定の無線方式、例えばブルートゥースで接続可能である。
【００２６】
テレビジョン受像機４は、放送波を受信することにより、放送番組等の映像を表示するとともに放送番組等の音声を出力するホスト機器である。テレビジョン受像機４は、音声を出力する内蔵スピーカ１０（スピーカ）を有している。外部スピーカ６及びヘッドホン８はそれぞれ、テレビジョン受像機４からの音声信号に基づく音声を出力するデバイス機器である。
【００２７】
上述した音声出力システム２では、テレビジョン受像機４と外部スピーカ６及びヘッドホン８との接続が切断されている場合には、テレビジョン受像機４で視聴されている放送番組等の音声が内蔵スピーカ１０から出力される。一方、テレビジョン受像機４と外部スピーカ６（又はヘッドホン８）とが接続されている場合には、テレビジョン受像機４で視聴されている放送番組等の音声は、内蔵スピーカ１０から出力されずに、外部スピーカ６（又はヘッドホン８）から出力される。
【００２８】
なお、後述するように、テレビジョン受像機４と外部スピーカ６（又はヘッドホン８）とが接続されている際に、テレビジョン受像機４の接続先を外部スピーカ６からヘッドホン８に（又はヘッドホン８から外部スピーカ６に）切り替えることができる。
【００２９】
［テレビジョン受像機の構成］
次に、図１〜図３を参照しながら、上述したテレビジョン受像機４の構成について説明する。図２は、テレビジョン受像機の構成を示すブロック図である。図３は、ホストコントローラの機能的構成を示すブロック図である。
【００３０】
図１及び図２に示すように、テレビジョン受像機４には、ヘッドホン８を充電するための充電台１２がケーブル１４を介して接続されている。充電台１２は、ヘッドホン８の充電端子６０（後述する）と電気的に接続される充電端子１６を有している。ヘッドホン８を充電台１２にセットした際に、所定の電力が充電台１２の充電端子１６からヘッドホン８の充電端子６０を介してバッテリ５６（後述する）に供給されることにより、ヘッドホン８の充電が行われる。
【００３１】
図２に示すように、テレビジョン受像機４は、上述した内蔵スピーカ１０の他に、着脱センサ１８、通信部２０及びホストコントローラ２２を有している。
【００３２】
着脱センサ１８は、ヘッドホン８が充電台１２に対して着脱されたことを検出するためのセンサである。着脱センサ１８は、ヘッドホン８が充電台１２から取り外された際に、ヘッドホン８が充電台１２から取り外されたことを示す充電台着脱信号をホストコントローラ２２に出力する。
【００３３】
通信部２０は、ＩＥＥＥ８０２．１５．１の無線通信方式に準拠し、２．４５ＧＨｚ帯の電波を利用して最高２４Ｍｂｐｓの速度で短距離無線通信を行う。
【００３４】
ホストコントローラ２２は、テレビジョン受像機４を制御するためのものである。図３に示すように、ホストコントローラ２２は、接続処理部２４、モード切替部２６、受付部２８、接続切替部３０及びスピーカ制御部３２を有している。
【００３５】
接続処理部２４は、テレビジョン受像機４と外部スピーカ６との間（又はテレビジョン受像機４とヘッドホン８との間）における接続を確立又は切断するための処理を行う。
【００３６】
モード切替部２６は、テレビジョン受像機４で視聴されている放送番組等の音声を出力させるモードとして、第１のモードと第２のモードとを切り替える。第１のモードは、内蔵スピーカ１０から音声を出力させるモードである。第１のモードでは、外部スピーカ６及びヘッドホン８から音声は出力されない。第２のモードは、テレビジョン受像機４の接続先である外部スピーカ６（又はヘッドホン８）から音声を出力させるモードである。第２のモードでは、内蔵スピーカ１０から音声は出力されない。なお、第１のモードと第２のモードとの切り替えは、例えばユーザがテレビジョン受像機４のリモートコントローラ（図示せず）を操作することにより実行される。
【００３７】
受付部２８は、第２のモードに切り替えられている際に、着脱センサ１８からの充電台着脱信号又はヘッドホン８からのヘッドホン着脱信号（後述する）に基づいて、テレビジョン受像機４の接続先を外部スピーカ６とヘッドホン８との間で切り替える切替指示（指示）を受け付ける。すなわち、充電台着脱信号及びヘッドホン着脱信号がそれぞれ切替指示を構成する。
【００３８】
接続切替部３０は、上記切替指示に基づいて、テレビジョン受像機４の接続先を外部スピーカ６からヘッドホン８に（又はヘッドホン８から外部スピーカ６に）切り替える。
【００３９】
スピーカ制御部３２は、接続切替部３０による接続先の切り替えが開始してから切り替えが完了するまでの間に引き続いて、切り替えが完了してから所定時間（例えば数秒程度）が経過するまでの間、内蔵スピーカ１０から音声を出力させる。
【００４０】
［外部スピーカの構成］
次に、図１及び図４を参照しながら、上述した外部スピーカ６の構成について説明する。図４は、外部スピーカの構成を示すブロック図である。
【００４１】
図１及び図４に示すように、外部スピーカ６は、スピーカ３４、通信部３６及びデバイスコントローラ３８を有している。
【００４２】
スピーカ３４は、外部スピーカ６に接続されたホスト機器（例えば、テレビジョン受像機４）からの音声信号に基づいて、音声を出力する。
【００４３】
通信部３６は、ＩＥＥＥ８０２．１５．１の無線通信方式に準拠し、２．４５ＧＨｚ帯の電波を利用して最高２４Ｍｂｐｓの速度で短距離無線通信を行う。
【００４４】
デバイスコントローラ３８は、外部スピーカ６を制御する。具体的には、デバイスコントローラ３８は、例えばスピーカ３４から出力される音声を制御する機能、及び、テレビジョン受像機４と外部スピーカ６との間における接続を確立又は切断するための処理を行う機能等を有している。
【００４５】
［ヘッドホンの構成］
次に、図１及び図５を参照しながら、上述したヘッドホン８の構成について説明する。図５は、ヘッドホンの構成を示すブロック図である。
【００４６】
図１及び図５に示すように、ヘッドホン８は、ユーザの右耳に装着されるＲ側（右側）ハウジング４０と、ユーザの左耳に装着されるＬ側（左側）ハウジング４２と、を有している。なお、Ｒ側ハウジング４０及びＬ側ハウジング４２にはそれぞれ、イヤーパッド４４，４６が取り付けられている。
【００４７】
イヤーパッド４４，４６にはそれぞれ、近接センサ４８，５０が内蔵されている。近接センサ４８，５０はそれぞれ、ユーザの手がイヤーパッド４４，４６に近接又は接触したことを検出するためのセンサである。近接センサ４８，５０はそれぞれ、ユーザの両手がそれぞれイヤーパッド４４，４６に近接又は接触したことを検出した際に、検出信号をデバイスコントローラ６６（後述する）に出力する。
【００４８】
Ｒ側ハウジング４０及びＬ側ハウジング４２にはそれぞれ、Ｒ側スピーカ５２及びＬ側スピーカ５４が内蔵されている。Ｒ側スピーカ５２及びＬ側スピーカ５４はそれぞれ、ヘッドホン８に接続されたホスト機器（例えば、テレビジョン受像機４）からの音声信号に基づいて、音声を出力する。
【００４９】
Ｌ側ハウジング４２には、さらに、バッテリ５６及び操作部５８が内蔵されている。バッテリ５６は、充電及び放電が可能な蓄電池であり、デバイスコントローラ６６等に電力を供給する。操作部５８は、ヘッドホン８の操作（例えば、電源のオン・オフ等の操作）を行うためのスイッチ又はボタン等である。操作部５８の一部は、Ｌ側ハウジング４２の外部に露出されている。
【００５０】
Ｒ側ハウジング４０には、さらに、充電端子６０、操作部６２、通信部６４（出力部）及びデバイスコントローラ６６が内蔵されている。
【００５１】
充電端子６０は、ヘッドホン８が上述した充電台１２にセットされた際に、充電台１２の充電端子１６と電気的に接続される。所定の電力が充電台１２の充電端子１６から充電端子６０を介してバッテリ５６に供給されることにより、ヘッドホン８の充電が行われる。
【００５２】
操作部６２は、ヘッドホン８の操作（例えば、音量の調整等の操作）を行うためのスイッチ又はボタン等である。操作部６２の一部は、Ｒ側ハウジング４０の外部に露出されている。
【００５３】
通信部６４は、ＩＥＥＥ８０２．１５．１の無線通信方式に準拠し、２．４５ＧＨｚ帯の電波を利用して最高２４Ｍｂｐｓの速度で短距離無線通信を行う。
【００５４】
デバイスコントローラ６６は、ヘッドホン８を制御する。具体的には、デバイスコントローラ６６は、例えばＲ側スピーカ５２及びＬ側スピーカ５４からそれぞれ出力される音声を制御する機能、及び、テレビジョン受像機４とヘッドホン８との間における接続を確立又は切断するための処理を行う機能等を有している。デバイスコントローラ６６は、さらに、近接センサ４８，５０からそれぞれ検出信号が出力された際に、ユーザが両手でヘッドホン８を頭部から取り外そうとしていると判定し、通信部６４を介してヘッドホン着脱信号をテレビジョン受像機４に送信する。なお、近接センサ４８，５０のうち一方のみから検出信号が出力された場合には、デバイスコントローラ６６は、ユーザが片手で操作部５８（又は操作部６２）を操作していると判定し、ヘッドホン着脱信号を送信しない。
【００５５】
［テレビジョン受像機の接続先の切り替えの流れ１］
次に、図６及び図７を参照しながら、テレビジョン受像機４の接続先をヘッドホン８から外部スピーカ６に切り替える流れについて説明する。図６は、実施の形態１に係る音声出力システムにおいて、テレビジョン受像機の接続先をヘッドホンから外部スピーカに切り替える流れを示すシーケンス図である。図７は、実施の形態１に係る音声出力システムにおいて、テレビジョン受像機の接続先をヘッドホンから外部スピーカに切り替える動作を示すタイミングチャートである。
【００５６】
図６及び図７に示すように、テレビジョン受像機４では第２のモードに切り替えられており（Ｓ１１）、テレビジョン受像機４とヘッドホン８とが接続されている。これにより、テレビジョン受像機４で視聴されている放送番組等の音声がヘッドホン８から出力される（Ｓ１２）。
【００５７】
この状態で、ユーザの両手がそれぞれヘッドホン８のイヤーパッド４４，４６に近接又は接触した際には、近接センサ４８，５０からそれぞれ検出信号が出力される（Ｓ１３）。これにより、ヘッドホン８のデバイスコントローラ６６は、ユーザが両手でヘッドホン８を頭部から取り外そうとしていると判定し、通信部６４を介してヘッドホン着脱信号をテレビジョン受像機４に送信する（Ｓ１４）。
【００５８】
テレビジョン受像機４の受付部２８は、ヘッドホン８からのヘッドホン着脱信号に基づいて、テレビジョン受像機４の接続先をヘッドホン８から外部スピーカ６に切り替える切替指示を受け付ける（Ｓ１５）。テレビジョン受像機４の接続切替部３０は、上記切替指示に基づいてテレビジョン受像機４の接続先の切り替えを開始し（Ｓ１６）、通信部２０を介して接続要求信号を外部スピーカ６に送信する（Ｓ１７）。なお、接続要求信号は、例えば接続相手機器の機器ＩＤ、アドレス及びパスキー（ＰＩＮコード）を対応付けたデータ等である。図７に示すように、テレビジョン受像機４の接続先の切り替えが開始されたタイミングで、テレビジョン受像機４のスピーカ制御部３２は、内蔵スピーカ１０から音声をフェードインさせながら出力させる（Ｓ１８）。
【００５９】
なお、本実施の形態では、図７に示すように、テレビジョン受像機４の接続先の切り替えが開始されてから完了するまでの間、ヘッドホン８のデバイスコントローラ６６は、ヘッドホン８から音声を継続して出力させる。このような構成に代えて、テレビジョン受像機４の接続先の切り替えが開始したタイミングで、ヘッドホン８のデバイスコントローラ６６は、ヘッドホン８からの音声の出力を停止させてもよい。
【００６０】
テレビジョン受像機４の接続処理部２４及び外部スピーカ６のデバイスコントローラ３８はそれぞれ、テレビジョン受像機４と外部スピーカ６との間における接続を確立するための処理を行う（Ｓ１９）。さらに、テレビジョン受像機４の接続処理部２４及びヘッドホン８のデバイスコントローラ６６はそれぞれ、テレビジョン受像機４とヘッドホン８との間における接続を切断するための処理を行う（Ｓ２０）。テレビジョン受像機４と外部スピーカ６との間における接続が確立するとともに、テレビジョン受像機４とヘッドホン８との間における接続が切断されることにより、テレビジョン受像機４の接続先の切り替えが完了する（Ｓ２１）。
【００６１】
図７に示すように、テレビジョン受像機４の接続先の切り替えが完了したタイミングで、ヘッドホン８のデバイスコントローラ６６は、ヘッドホン８からの音声の出力をフェードアウトさせながら停止させる（Ｓ２２）。また、上記のタイミングで、外部スピーカ６のデバイスコントローラ３８は、外部スピーカ６から音声をフェードインさせながら出力させる（Ｓ２３）。
【００６２】
さらに、テレビジョン受像機４のスピーカ制御部３２は、上記のタイミングから所定時間（例えば数秒程度）が経過するまでの間、内蔵スピーカ１０から音声をフェードアウトさせながら出力させる。これにより、切り替えが完了してから上記所定時間が経過するまでの間は、内蔵スピーカ１０からの音声の出力と外部スピーカ６からの音声の出力とが並行して行われる。スピーカ制御部３２は、上記所定時間が経過したタイミングで（Ｓ２４）、内蔵スピーカ１０からの音声の出力を停止させる（Ｓ２５）。
【００６３】
［テレビジョン受像機の接続先の切り替えの流れ２］
次に、図８及び図９を参照しながら、テレビジョン受像機４の接続先を外部スピーカ６からヘッドホン８に切り替える流れについて説明する。図８は、実施の形態１に係る音声出力システムにおいて、テレビジョン受像機の接続先を外部スピーカからヘッドホンに切り替える流れを示すシーケンス図である。図９は、実施の形態１に係る音声出力システムにおいて、テレビジョン受像機の接続先を外部スピーカからヘッドホンに切り替える動作を示すタイミングチャートである。
【００６４】
図８及び図９に示すように、テレビジョン受像機４では第２のモードに切り替えられており（Ｓ３１）、テレビジョン受像機４と外部スピーカ６とが接続されている。これにより、テレビジョン受像機４で視聴されている放送番組等の音声が外部スピーカ６から出力される（Ｓ３２）。
【００６５】
この状態で、ユーザがヘッドホン８を充電台１２から取り外した際には、着脱センサ１８から充電台着脱信号が出力される（Ｓ３３）。これにより、テレビジョン受像機４の受付部２８は、充電台着脱信号に基づいて、テレビジョン受像機４の接続先を外部スピーカ６からヘッドホン８に切り替える切替指示を受け付ける（Ｓ３４）。テレビジョン受像機４の接続切替部３０は、上記切替指示に基づいてテレビジョン受像機４の接続先の切り替えを開始し（Ｓ３５）、通信部２０を介して接続要求信号をヘッドホン８に送信する（Ｓ３６）。
【００６６】
図９に示すように、テレビジョン受像機４の接続先の切り替えが開始されたタイミングで、テレビジョン受像機４のスピーカ制御部３２は、内蔵スピーカ１０から音声をフェードインさせながら出力させる（Ｓ３７）。さらに、上記のタイミングで、外部スピーカ６のデバイスコントローラ３８は、外部スピーカ６からの音声の出力をフェードアウトさせながら停止させる（Ｓ３８）。
【００６７】
テレビジョン受像機４の接続処理部２４及びヘッドホン８のデバイスコントローラ６６はそれぞれ、テレビジョン受像機４とヘッドホン８との間における接続を確立するための処理を行う（Ｓ３９）。さらに、テレビジョン受像機４の接続処理部２４及び外部スピーカ６のデバイスコントローラ３８はそれぞれ、テレビジョン受像機４と外部スピーカ６との間における接続を切断するための処理を行う（Ｓ４０）。テレビジョン受像機４とヘッドホン８との間における接続が確立するとともに、テレビジョン受像機４と外部スピーカ６との間における接続が切断されることにより、テレビジョン受像機４の接続先の切り替えが完了する（Ｓ４１）。
【００６８】
図９に示すように、テレビジョン受像機４の接続先の切り替えが完了したタイミングで、ヘッドホン８のデバイスコントローラ６６は、ヘッドホン８から音声をフェードインさせながら出力させる（Ｓ４２）。さらに、テレビジョン受像機４のスピーカ制御部３２は、上記のタイミングから所定時間（例えば数秒程度）が経過するまでの間、内蔵スピーカ１０から音声をフェードアウトさせながら出力させる。これにより、切り替えが完了してから上記所定時間が経過するまでの間は、内蔵スピーカ１０からの音声の出力とヘッドホン８からの音声の出力とが並行して行われる。スピーカ制御部３２は、上記所定時間が経過したタイミングで（Ｓ４３）、内蔵スピーカ１０からの音声の出力を停止させる（Ｓ４４）。
【００６９】
［効果］
次に、本実施の形態の音声出力システム２により得られる効果について説明する。テレビジョン受像機４の接続先を切り替える際に、接続先の切り替えが開始するタイミングと接続先の切り替えが完了するタイミングとの間には、例えば数秒程度のタイムラグが生じる。なお、このタイムラグは、接続要求信号の送信に要する時間、及び、テレビジョン受像機４と接続先の外部スピーカ６（又はヘッドホン８）との間で接続を確立させるための処理に要する時間等に起因するものである。上述したように、少なくともテレビジョン受像機４の接続先の切り替えが開始してから完了するまでの間、テレビジョン受像機４の内蔵スピーカ１０から音声が出力される。これにより、テレビジョン受像機４の接続先を切り替える際に、音声の出力が途切れてしまうことがなく、ユーザが音声を聞き逃すのを抑制することができる。
【００７０】
さらに、テレビジョン受像機４の接続先をヘッドホン８から外部スピーカ６に切り替える場合、テレビジョン受像機４の接続先の切り替えが開始した直後にユーザがヘッドホン８を頭部から取り外すことがある。このような場合であっても、ユーザは、テレビジョン受像機４の内蔵スピーカ１０から出力される音声を聴くことができるので、ユーザが音声を聞き逃してしまうのを効果的に抑制することができる。
【００７１】
（実施の形態２）
次に、図２、図３、図５及び図１０を参照しながら、実施の形態２に係る音声出力システムの構成について説明する。図１０は、実施の形態２に係る音声出力システムにおいて、テレビジョン受像機の接続先を外部スピーカからヘッドホンに切り替える流れを示すシーケンス図である。なお、本実施の形態において、上記実施の形態１と同一の構成要素には同一の符号を付して、その説明を省略する。
【００７２】
図２、図３、図５及び図１０に示すように、テレビジョン受像機４Ａの接続先が外部スピーカ６からヘッドホン８Ａに切り替えられる場合において、上記実施の形態１と同様に、ステップＳ３１〜ステップＳ４２が実行される。その後、ヘッドホン８Ａの近接センサ４８，５０がともに検出状態から無検出状態に変化した際に、ヘッドホン８Ａのデバイスコントローラ６６Ａは、ユーザが両手でヘッドホン８Ａを頭部に装着したと判定し、通信部６４を介して装着完了信号をテレビジョン受像機４Ａに送信する（Ｓ５１）。テレビジョン受像機４Ａのホストコントローラ２２Ａのスピーカ制御部３２Ａは、上述した装着完了信号に基づいて、内蔵スピーカ１０からの音声の出力をフェードアウトさせながら停止させる（Ｓ５２）。
【００７３】
これにより、ユーザがヘッドホン８Ａを頭部に装着するタイミングが、接続先の切り替えが完了するタイミングよりも遅れた場合であっても、ユーザは、内蔵スピーカ１０からの音声を聴き続けることができる。その結果、ユーザが音声を聞き逃すのを抑制することができる。
【００７４】
（変形例）
以上、本発明の実施の形態１及び２に係る音声出力システム及び音声出力装置について説明したが、本発明は、これらの実施の形態に限定されるものではない。例えば、上記各実施の形態をそれぞれ組み合わせてもよい。
【００７５】
上記各実施の形態では、音声出力装置をテレビジョン受像機４（４Ａ）で構成したが、これに限定されず、例えばオーディオコンポ、パーソナルコンピュータ又はスマートフォン等で構成することもできる。
【００７６】
上記各実施の形態では、第１の外部接続機器及び第２の外部接続機器を外部スピーカ６及びヘッドホン８（８Ａ）で構成したが、これに限定されず、例えばイヤホン等で構成することもできる。
【００７７】
上記各実施の形態では、テレビジョン受像機４（４Ａ）と外部スピーカ６及びヘッドホン８（８Ａ）とをブルートゥースで接続したが、これに限定されず、ブルートゥース以外の無線方式で接続してもよい。
【００７８】
上記各実施の形態では、テレビジョン受像機４（４Ａ）の接続先の切り替えが完了してから所定時間が経過したタイミングで、内蔵スピーカ１０からの音声の出力をフェードアウトさせながら停止させたが、これに限定されない。例えば、テレビジョン受像機４（４Ａ）の接続先の切り替えが完了したタイミングで、内蔵スピーカ１０からの音声の出力を瞬間的に停止させてもよい。
【００７９】
上記各実施の形態では、テレビジョン受像機４（４Ａ）とヘッドホン８（８Ａ）とが接続されている際に、接続切替部３０は、ヘッドホン着脱信号に基づいて、テレビジョン受像機４（４Ａ）の接続先をヘッドホン８（８Ａ）から外部スピーカ６に切り替えるように構成した。このような構成に代えて、例えば、外部スピーカ６の電源がオフからオンに切り替えられた際に、デバイスコントローラ３８が通信部３６（出力部）を介して電源オン信号をテレビジョン受像機４（４Ａ）に送信してもよい。この場合、接続切替部３０は、電源オン信号（切替指示）に基づいて、テレビジョン受像機４（４Ａ）の接続先をヘッドホン８（８Ａ）から外部スピーカ６に切り替える。
【００８０】
上記各実施の形態では、接続切替部３０は、充電台着脱信号又はヘッドホン着脱信号に基づいて、テレビジョン受像機４（４Ａ）の接続先を外部スピーカ６とヘッドホン８（８Ａ）との間で切り替えるように構成した。このような構成に代えて、接続切替部３０は、例えばユーザがテレビジョン受像機４（４Ａ）のリモートコントローラを操作した際に、当該リモートコントローラから出力される信号（切替指示）に基づいて、テレビジョン受像機４（４Ａ）の接続先を外部スピーカ６とヘッドホン８（８Ａ）との間で切り替えるように構成してもよい。あるいは、接続切替部３０は、例えば所定の時刻を経過した際に、テレビジョン受像機４（４Ａ）に内蔵されたタイマ（図示せず）から出力される信号（切替指示）に基づいて、テレビジョン受像機４（４Ａ）の接続先を外部スピーカ６とヘッドホン８（８Ａ）との間で切り替えるように構成してもよい。
【００８１】
上記各実施の形態では、第２のモードにおいてテレビジョン受像機４（４Ａ）の接続先を外部スピーカ６とヘッドホン８（８Ａ）との間で切り替える際に、接続先の切り替えが開始してから切り替えが完了するまでの間に内蔵スピーカ１０から音声が出力されるように構成した。このような構成に代えて、例えば第１のモードから第２のモードに切り替えられる際に、テレビジョン受像機４（４Ａ）と外部スピーカ６又はヘッドホン８（８Ａ）との接続が開始してから当該接続が完了するまでの間に内蔵スピーカ１０から音声が出力されるように構成してもよい。
【００８２】
（その他の変形例）
また、上記の各装置は、具体的には、マイクロプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスクドライブ、ディスプレイユニット、キーボード及びマウス等から構成されるコンピュータシステムとして構成されてもよい。ＲＡＭ又はハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【００８３】
さらに、上記の各装置を構成する構成要素の一部又は全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ及びＲＡＭ等を含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【００８４】
さらにまた、上記の各装置を構成する構成要素の一部又は全部は、各装置に脱着可能なＩＣカード又は単体のモジュールから構成されているとしてもよい。ＩＣカード又はモジュールは、マイクロプロセッサ、ＲＯＭ及びＲＡＭ等から構成されるコンピュータシステムである。ＩＣカード又はモジュールは、上記の超多機能ＬＳＩを含むとしてもよい。マイクロプロセッサが、コンピュータプログラムに従って動作することにより、ＩＣカード又はモジュールは、その機能を達成する。このＩＣカード又はこのモジュールは、耐タンパ性を有するとしてもよい。
【００８５】
また、本発明は、上記に示す方法であるとしてもよい。また、本発明は、これらの方法をコンピュータにより実現するコンピュータプログラムであるとしてもよいし、上記コンピュータプログラムからなるデジタル信号であるとしてもよい。
【００８６】
さらに、本発明は、上記コンピュータプログラム又は上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリ等に記録したものとしてもよい。また、これらの非一時的な記録媒体に記録されている上記デジタル信号であるとしてもよい。
【００８７】
また、本発明は、上記コンピュータプログラム又は上記デジタル信号を、電気通信回線、無線又は有線通信回線、インターネットを代表とするネットワーク、データ放送等を経由して伝送するものとしてもよい。
【００８８】
また、本発明は、マイクロプロセッサ及びメモリを備えたコンピュータシステムであって、上記メモリは、上記コンピュータプログラムを記憶しており、上記マイクロプロセッサは、上記コンピュータプログラムに従って動作するとしてもよい。
【００８９】
また、上記プログラム又は上記デジタル信号を上記非一時的な記録媒体に記録して移送することにより、又は、上記プログラム又は上記デジタル信号を上記ネットワーク等を経由して移送することにより、独立した他のコンピュータシステムにより実施するとしてもよい。
【産業上の利用可能性】
【００９０】
本発明の音声出力装置は、例えば、内蔵スピーカを有するテレビジョン受像機等に適用することができる。
【符号の説明】
【００９１】
２  音声出力システム
４，４Ａ  テレビジョン受像機
６  外部スピーカ
８，８Ａ  ヘッドホン
１０  内蔵スピーカ
１２  充電台
１４  ケーブル
１６，６０  充電端子
１８  着脱センサ
２０，３６，６４  通信部
２２，２２Ａ  ホストコントローラ
２４  接続処理部
２６  モード切替部
２８  受付部
３０  接続切替部
３２，３２Ａ  スピーカ制御部
３４  スピーカ
３８，６６，６６Ａ  デバイスコントローラ
４０  Ｒ側ハウジング
４２  Ｌ側ハウジング
４４，４６  イヤーパッド
４８，５０  近接センサ
５２  Ｒ側スピーカ
５４  Ｌ側スピーカ
５６  バッテリ
５８，６２  操作部
【図１】
2015226281.tif 000003
【図２】
2015226281.tif 000004
【図３】
2015226281.tif 000005
【図４】
2015226281.tif 000006
【図５】
2015226281.tif 000007
【図６】
2015226281.tif 000008
【図７】
2015226281.tif 000009
【図８】
2015226281.tif 000010
【図９】
2015226281.tif 000011
【図１０】
2015226281.tif 000012
【図１１】
2015226281.tif 000013
【図１２】
2015226281.tif 000014